【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
計算機システムであって、
仮想サーバ装置を提供する複数の物理サーバ装置と、
前記複数の物理サーバ装置に接続され、仮想ストレージ装置を提供する複数の物理ストレージ装置と、
前記複数の物理ストレージ装置に接続され、第１の仮想システムに含まれ、前記複数の物理サーバ装置の少なくとも１つに配置される複数の第１の仮想サーバ装置と、前記複数の物理ストレージ装置のいずれかに配置される第１の仮想ストレージ装置と、に関する第１の構成情報と、第２の仮想システムに含まれ、前記複数の物理サーバ装置の少なくとも１つに配置される複数の第２の仮想サーバ装置と、前記複数の物理ストレージ装置のいずれかに配置される第２の仮想ストレージ装置と、に関する第２の構成情報と、第３の仮想システムに含まれ、前記複数の物理サーバ装置の少なくとも１つに配置される複数の第３の仮想サーバ装置と、前記複数の物理ストレージ装置のいずれかに配置される第３の仮想ストレージ装置と、に関する第３の構成情報と、を保持する管理サーバ装置と、を含み、
前記管理サーバ装置は、前記複数の第１の仮想サーバ装置の少なくとも１つの第１の仮想サーバ装置を他の物理サーバ装置に移動する場合、前記第１の構成情報と前記第２の構成情報を参照し、前記移動後の複数の第１の仮想サーバ装置が配置される少なくとも１つの物理サーバ装置と前記複数の第２の仮想サーバ装置が配置される少なくとも１つの物理サーバ装置とを比較して第１の評価値を算出し、前記第１の構成情報と前記第３の構成情報を参照し、前記移動後の複数の第１の仮想サーバ装置が配置される少なくとも１つの物理サーバ装置と前記複数の第３の仮想サーバ装置が配置される少なくとも１つの物理サーバ装置とを比較して第２の評価値を算出し、
前記管理サーバ装置は、前記第１の評価値と前記第２の評価値をもとに、前記複数の物理ストレージ装置へ、前記第１の仮想ストレージ装置を他の物理ストレージ装置へ移動する指示を出す、ことを特徴とする計算機システム。
【請求項２】
請求項１に記載の計算機システムであって、
前記管理サーバ装置は、前記第１の評価値と前記第２の評価値を比較し、前記第１の評価値の評価が高い場合、前記第１の仮想ストレージ装置を前記第２の仮想ストレージ装置が配置される物理ストレージ装置へ移動する指示を発行する、ことを特徴とする計算機システム。
【請求項３】
請求項２に記載の計算機システムであって、
前記管理サーバ装置は、さらに、前記複数の物理ストレージ装置の割り当て順序に関する情報を有し、前記第１の評価値と前記第２の評価値を比較し、前記第１の評価値と前記第２の評価値とが同じである場合、前記割り当て順序に関する情報を参照し、前記第２の仮想ストレージ装置が配置される物理ストレージ装置及び前記第３の仮想ストレージ装置が配置される物理ストレージ装置のうち割り当て順序が高い物理ストレージ装置へ前記第１の仮想ストレージ装置を移動する指示を出す、ことを特徴とする計算機システム。
【請求項４】
請求項２または請求項３に記載の計算機システムであって、
前記第１の評価値は、前記移動後の複数の第１の仮想サーバ装置の配置される少なくとも１つの物理サーバ装置が、前記複数の第２の仮想サーバ装置の配置される少なくとも１つの物理サーバ装置に含まれる数であり、
前記第２の評価値は、前記移動後の複数の第１の仮想サーバ装置の配置される少なくとも１つの物理サーバ装置が、前記複数の第３の仮想サーバ装置の配置される少なくとも１つの物理サーバ装置に含まれる数である、ことを特徴とする計算機システム。
【請求項５】
請求項２または請求項３に記載の計算機システムであって、
前記第１の評価値は、前記移動後の複数の第１の仮想サーバ装置の配置される少なくとも１つの物理サーバ装置が、前記複数の第２の仮想サーバ装置の配置される少なくとも１つの物理サーバ装置に含まれる数を、前記移動後の複数の第１の仮想サーバ装置の配置される物理サーバ装置の数と、前記複数の第２の仮想サーバ装置の配置される物理サーバ装置の数のうち大きい数で割った値とし、
前記第２の評価値は、前記移動後の複数の第１の仮想サーバ装置の配置される少なくとも１つの物理サーバ装置が、前記複数の第３の仮想サーバ装置の配置される少なくとも１つの物理サーバ装置に含まれる数を、前記移動後の複数の第１の仮想サーバ装置の配置される物理サーバ装置の数と、前記複数の第３の仮想サーバ装置の配置される物理サーバ装置の数のうち大きい数で割った値とする、ことを特徴とする計算機システム。
【請求項６】
請求項２乃至請求項５のいずれか１つに記載の計算機システムであって、
前記複数の物理ストレージ装置は、各々、論理ボリュームを構成する複数の記憶装置と、メモリと、コントローラと、ポートとを含み、前記仮想ストレージ装置に前記論理ボリュームと、前記メモリの一部の領域である仮想メモリと、前記コントローラを論理分割した仮想コントローラと、前記ポートを論理分割した仮想ポートとを割り当て、
前記管理サーバ装置は、さらに、前記仮想ストレージ装置の仮想ポートの識別子情報を保持し、
前記管理サーバ装置は、前記識別子情報を参照して、前記第１の仮想ストレージ装置の移動先である物理ストレージ装置に、前記第１の仮想ストレージ装置の仮想ポートの識別子と同じ識別子の仮想ポートを有する仮想ストレージ装置を作成する指示を出し、
前記管理サーバ装置は、移動前の前記第１の仮想ストレージ装置に割り当てられたボリュームに格納されるデータを、前記作成された仮想サーバ装置に割り当てられた論理ボリュームに移動する指示を出す、ことを特徴とする計算機システム。
【請求項７】
請求項２乃至請求項５のいずれか１つに記載の計算機システムであって、さらに、
前記第１の仮想計算機に割り当てられたボリュームに格納されるデータの複製を格納するバックアップメディアを含み、
前記複数の物理ストレージ装置は、各々、複数の論理ボリュームを構成する複数の記憶装置と、メモリと、コントローラと、ポートとを含み、前記仮想ストレージ装置に前記複数の論理ボリュームと、前記メモリの一部の領域である仮想メモリと、前記コントローラを論理分割した仮想コントローラと、前記ポートを論理分割した仮想ポートとを割り当て、
前記管理サーバ装置は、さらに、前記仮想ストレージ装置の仮想ポートの識別子情報を保持し、
前記管理サーバ装置は、前記識別子情報を参照して、前記第１の仮想ストレージ装置の移動先である物理ストレージ装置に、前記第１の仮想ストレージ装置の仮想ポートの識別子と同じ識別子の仮想ポートを有する仮想ストレージ装置を作成する指示を出し、
前記管理サーバ装置は、前記第１の仮想ストレージ装置が移動前に配置されていた物理ストレージ装置に配置される仮想ストレージ装置のうち稼動状態の仮想ストレージ装置の数が閾値を超える場合、前記バックアップメディアに格納される前記データを、前記第１の仮想ストレージ装置の移動先である物理ストレージ装置に作成された前記仮想サーバに割り当てられた論理ボリュームに移動する指示を出す、ことを特徴とする計算機システム。
【請求項８】
仮想サーバ装置を提供する複数の物理サーバ装置に接続され仮想ストレージ装置を提供する複数の物理ストレージ装置を管理する管理サーバ装置による管理方法であって、
前記複数の物理ストレージ装置に接続され、第１の仮想システムに含まれ、前記複数の物理サーバ装置の少なくとも１つに配置される複数の第１の仮想サーバ装置と、前記複数の物理ストレージ装置のいずれかに配置される第１の仮想ストレージ装置と、に関する第１の構成情報と、第２の仮想システムに含まれ、前記複数の物理サーバ装置の少なくとも１つに配置される複数の第２の仮想サーバ装置と、前記複数の物理ストレージ装置のいずれかに配置される第２の仮想ストレージ装置と、に関する第２の構成情報と、第３の仮想システムに含まれ、前記複数の物理サーバ装置の少なくとも１つに配置される複数の第３の仮想サーバ装置と、前記複数の物理ストレージ装置のいずれかに配置される第３の仮想ストレージ装置と、に関する第３の構成情報と、を保持し、
前記複数の第１の仮想サーバ装置の少なくとも１つの第１の仮想サーバ装置を他の物理サーバ装置に移動する場合、、前記第１の構成情報と前記第２の構成情報を参照し、前記移動後の複数の第１の仮想サーバ装置の配置される少なくとも１つの物理サーバ装置と前記複数の第２の仮想サーバ装置の配置される少なくとも１つの物理サーバ装置とを比較して第１の評価値を算出し、
前記第１の構成情報と前記第３の構成情報を参照し、前記移動後の複数の第１の仮想サーバ装置の配置される少なくとも１つの物理サーバ装置と前記複数の第３の仮想サーバ装置の配置される少なくとも１つの物理サーバ装置とを比較して第２の評価値を算出し、
前記第１の評価値と前記第２の評価値をもとに、前記複数の物理ストレージ装置へ、前記第１の仮想ストレージ装置を他の物理ストレージ装置へ移動する指示を出す、ことを特徴とする管理方法。
【請求項９】
請求項８に記載の管理方法であって、
前記第１の評価値と前記第２の評価値を比較し、前記第１の評価値の評価が高い場合、前記第１の仮想ストレージ装置を前記第２の仮想ストレージ装置が配置される物理ストレージ装置へ移動する指示を発行する、ことを特徴とする管理方法。
【請求項１０】
請求項９に記載の管理方法であって、
前記複数の物理ストレージ装置の割り当て順序に関する情報を保持し、
前記第１の評価値と前記第２の評価値を比較し、前記第１の評価値と前記第２の評価値とが同じである場合、前記割り当て順序に関する情報を参照し、前記第２の仮想ストレージ装置が配置される物理ストレージ装置及び前記第３の仮想ストレージ装置が配置される物理ストレージ装置のうち割り当て順序が高い物理ストレージ装置へ前記第１の仮想ストレージ装置を移動する指示を出す、ことを特徴とする管理方法。
【請求項１１】
請求項９または請求項１０に記載の管理方法であって、
前記第１の評価値は、前記移動後の複数の第１の仮想サーバ装置の配置される少なくとも１つの物理サーバ装置が、前記複数の第２の仮想サーバ装置の配置される少なくとも１つの物理サーバ装置に含まれる数であり、
前記第２の評価値は、前記移動後の複数の第１の仮想サーバ装置の配置される少なくとも１つの物理サーバ装置が、前記複数の第３の仮想サーバ装置の配置される少なくとも１つの物理サーバ装置に含まれる数である、ことを特徴とする管理方法。
【請求項１２】
請求項９または請求項１０に記載の管理方法であって、
前記第１の評価値は、前記移動後の複数の第１の仮想サーバ装置の配置される少なくとも１つの物理サーバ装置が、前記複数の第２の仮想サーバ装置の配置される少なくとも１つの物理サーバ装置に含まれる数を、前記移動後の複数の第１の仮想サーバ装置の配置される物理サーバ装置の数と、前記複数の第２の仮想サーバ装置の配置される物理サーバ装置の数のうち大きい数で割った値とし、
前記第２の評価値は、前記移動後の複数の第１の仮想サーバ装置の配置される少なくとも１つの物理サーバ装置が、前記複数の第３の仮想サーバ装置の配置される少なくとも１つの物理サーバ装置に含まれる数を、前記移動後の複数の第１の仮想サーバ装置の配置される物理サーバ装置の数と、前記複数の第３の仮想サーバ装置の配置される物理サーバ装置の数のうち大きい数で割った値とする、ことを特徴とする管理方法。
【請求項１３】
請求項９乃至請求項１２のいずれか１つに記載の管理方法であって、
前記複数の物理ストレージ装置は、各々、複数の論理ボリュームを構成する複数の記憶装置と、メモリと、コントローラと、ポートとを含み、前記仮想ストレージ装置に前記複数の論理ボリュームと、前記メモリの一部の領域である仮想メモリと、前記コントローラを論理分割した仮想コントローラと、前記ポートを論理分割した仮想ポートとを割り当て、
前記仮想ストレージ装置の仮想ポートの識別子情報を保持し、
前記第１の仮想ストレージ装置の移動先である物理ストレージ装置に、前記識別子情報を参照して、前記第１の仮想ストレージ装置の仮想ポートの識別子と同じ識別子の仮想ポートを有する仮想ストレージ装置を作成する指示を出し、
移動前の前記第１の仮想ストレージ装置に割り当てられたボリュームに格納されるデータを、前記作成された仮想サーバ装置に割り当てられた論理ボリュームに移動する指示を出す、ことを特徴とする管理方法。
【請求項１４】
請求項９乃至請求項１２のいずれか１つに記載の管理方法であって、
前記複数の物理ストレージ装置は、各々、複数の論理ボリュームを構成する複数の記憶装置と、メモリと、コントローラと、ポートとを含み、前記仮想ストレージ装置に前記複数の論理ボリュームと、前記メモリの一部の領域である仮想メモリと、前記コントローラを論理分割した仮想コントローラと、前記ポートを論理分割した仮想ポートとを割り当て、
前記仮想ストレージ装置の仮想ポートの識別子情報を保持し、
前記第１の仮想ストレージ装置の移動先である物理ストレージ装置に、前記識別子情報を参照して、前記第１の仮想ストレージ装置の仮想ポートの識別子と同じ識別子の仮想ポートを有する仮想ストレージ装置を作成する指示を出し、
前記第１の仮想ストレージ装置が移動前に配置されていた物理ストレージ装置に配置される仮想ストレージ装置のうち稼動状態の仮想ストレージ装置の数が閾値を超える場合、前記第１の仮想計算機により使用されるデータの複製を格納するバックアップメディアの前記データを、前記第１の仮想ストレージ装置の移動先である物理ストレージ装置に作成された前記仮想サーバに割り当てられた論理ボリュームに移動する指示を出す、ことを特徴とする計算機システム。